(57)【要約】【課題】クッション材を使用者の身体が乗せられる面を凸として屈曲させるための機構による押し上げる動作をより効果的に使用者の身体に伝えることができるクッション装置を提供する。【解決手段】クッション装置の一例であるマットレス１０は、使用者の載置面を有するクッション材であるウレタン層１７と、クッション材を載置面に交差する方向に屈曲させるための機構に含まれるエアセル３１と、を備え、ウレタン層１７は、面内方向における第１方向の一例であるＹ方向に延びる複数の第１部分（山部１８Ａ）と、複数の第１部分の間において第１部分と一体に形成された、第１部分よりも変形し易い第２部分（溝部１８Ｂ）と、を有する。【選択図】図３
2019208699.tif 000002
【特許請求の範囲】
【請求項１】
使用者の載置面を有するクッション材と、
前記クッション材を前記載置面に交差する方向に屈曲させるための機構と、を備え、
前記クッション材は、前記載置面の面内方向における第１方向に延びる複数の第１部分と、複数の前記第１部分の間において前記第１部分と一体に形成された、前記第１部分よりも変形し易い第２部分と、を有する
クッション装置。
【請求項２】
前記第２部分は、複数の前記第１部分の間に形成された溝である
請求項１に記載のクッション装置。
【請求項３】
前記第１部分は、前記第１方向に直交する断面が三角形状である
請求項２に記載のクッション装置。
【請求項４】
前記クッション材は、前記第１方向に直交する第２方向に分割されている
請求項１〜請求項３のいずれか１項に記載のクッション装置。
【請求項５】
前記第１方向は、前記載置面に載置される使用者の身長方向である
請求項１〜請求項４のいずれか１項に記載のクッション装置。
【請求項６】
前記クッション材は、前記載置面を構成する第１層と、前記第１層の素材よりも固い素材で成形された前記載置面の裏面側を構成する第２層とを含む積層構造である
請求項１〜請求項５のいずれか１項に記載のクッション装置。
【請求項７】
前記第１部分及び前記第２部分は、前記第１層に設けられている
請求項６に記載のクッション装置。
【請求項８】
使用者の載置面を有するクッション材であって、
前記載置面の面内方向における第１方向に延びる複数の第１部分と、複数の前記第１部分の間において前記第１部分と一体に形成された、前記第１部分よりも変形し易い第２部分と、を有する
クッション材。
【発明の詳細な説明】
【技術分野】
【０００１】
本開示は、クッション装置及びクッション材に関する。
【背景技術】
【０００２】
特許文献１には、マット型のマッサージ機であって、使用者の身長方向に沿って並ぶ複数の分割体を含むマット本体と、分割体それぞれに設けられたエアセルと、を有するマッサージ機が開示されている。このマッサージ機は、複数のエアセルの膨張が独立して制御されることによって、マッサージ機に横たわる使用者の身体の一部を持ち上げる動作を行う。
【先行技術文献】
【特許文献】
【０００３】
【特許文献１】特開２０１７−１４３９３９号公報
【発明の概要】
【０００４】
特許文献１に示されたようなマット型のマッサージ機において、エアセルの膨張がマットを介して使用者に適切に伝わらないと使用者の身体に意図した動作をさせることができない。特に、使用者の身体に複雑な動きをさせる場合、エアセルなどのマットを持ち上げる機構による持ち上げる動作をより効果的に使用者の身体に伝えることが重要である。
【０００５】
ある実施の形態に従うと、クッション装置は、使用者の載置面を有するクッション材と、クッション材を載置面に交差する方向に屈曲させるための機構と、を備え、クッション材は、載置面の面内方向における第１方向に延びる複数の第１部分と、複数の第１部分の間において第１部分と一体に形成された、第１部分よりも変形し易い第２部分と、を有する。
【０００６】
他の実施の形態に従うと、クッション材は使用者の載置面を有するクッション材であって、載置面の面内方向における第１方向に延びる複数の第１部分と、複数の第１部分の間において第１部分と一体に形成された、第１部分よりも変形し易い第２部分と、を有する。
更なる詳細は、後述の実施の形態として説明される。
【図面の簡単な説明】
【０００７】
【図１】図１は、実施の形態にかかる睡眠装置の構成の概略を示す斜視図である。
【図２】図２は、睡眠装置の構成の概略を示すブロック図である。
【図３】図３は、睡眠装置に含まれるマットレスの分解斜視図である。
【図４】図４は、マットレスにおけるエアセルの配置状態を説明するための図である。
【図５】図５は、マットレスを構成するウレタン層の一部の概略図である。
【図６】図６は、睡眠装置の制御ユニットに含まれるメモリに記憶されているストレッチコースの具体例について説明するための図である。
【図７】図７は、ウレタン層に設けられたラインの、ウレタン層の変形に対する影響を説明するための図である。
【図８】図８は、ウレタン層に設けられたラインの、ウレタン層の変形に対する影響を説明するための図である。
【図９】図９は、比較例にかかるマットレスの構造を表した概略図である。
【図１０】図１０は、第２の実施の形態にかかるマットレスの構造を説明するための概略図である。
【図１１】図１１は、ウレタン層の構造の他の例を示した概略図である。
【図１２】図１２は、ウレタン層の構造の他の例を示した概略図である。
【図１３】図１３は、ウレタン層の構造の他の例を示した概略図である。
【図１４】図１４は、ウレタン層の構造の他の例を示した概略図である。
【発明を実施するための形態】
【０００８】
［１．クッション装置及びクッション材の概要］
【０００９】
（１）本実施の形態に含まれるクッション装置は、使用者の載置面を有するクッション材と、クッション材を載置面に交差する方向に屈曲させるための機構と、を備え、クッション材は、載置面の面内方向における第１方向に延びる複数の第１部分と、複数の第１部分の間において第１部分と一体に形成された、第１部分よりも変形し易い第２部分と、を有する。
【００１０】
クッション装置はクッションを有する装置であって、ここでは、使用者の載置面を有するクッション材を含むクッションを有する装置である。このクッション装置は、たとえば、マットレス、介護用ベッド、マッサージチェア、椅子、乗り物の座席、などである。
【００１１】
クッション材を載置面に交差する方向に屈曲させるための機構は、載置面が上面である場合、たとえば、クッション材を押し上げるための機構である。クッション材を押し上げるための機構は、たとえば、エアセルを含む。エアセルに替えて、アクチュエータや液体などの流体を充填するセル(流体セル)であってもよい。アクチュエータは、たとえば、モータ駆動アクチュエータ、エアシリンダ又は油圧シリンダなどの流体アクチュエータである。
【００１２】
クッション材の上面に第１部分と第２部分とが形成されていることによって、第１方向と直行する第２方向には、クッション材を載置面に交差する方向に屈曲させるための機構によって押し上げられる力が第２部分に吸収されて伝搬されにくい。そのため、押し上げられる力が作用する範囲を第２方向には局所的とすることができる。一方で、第１方向には、第１部分が押し上げられる力を伝搬するリブとして機能するために押し上げられる力が作用する範囲は広範囲に及ぶ。つまり、第１方向と第２方向とでクッション材が押し上げられる範囲を異ならせることができる。これにより、クッション材の上面の使用者に対して、たとえば「腰ひねり」や「上半身起こし」などを効果的に行わせることができる。
【００１３】
（２）好ましくは、第２部分は、複数の前記第１部分の間に形成された溝である。クッション材の上面に第１方向に延びる溝部及び山部（ライン）が形成されていることによって、クッション材上面に載置される使用者をエアセルの膨張等によって押し上げる際にラインが押し上げに伴って変形する。
【００１４】
（３）好ましくは、第１部分は、前記第１方向に直交する断面が三角形状である。これにより、ラインが押し上げに伴って変形するクッション材の上面に載置される使用者に接する面の角度が変化する。このため、使用者はクッション材の押し上げをクッション材と接触した感覚でも実感できる。
【００１５】
（４）好ましくは、クッション材は、第１方向に直交する第２方向に分割されている。これにより、クッション材の折り畳み性、持ち運び性が向上するのみならず、上記機構による押し上げる力の第１方向への伝搬が分断される。これにより、押し上げる機構の力を効果的に使用者に作用させることができる。
【００１６】
（５）好ましくは、第１方向は、載置面に載置される使用者の身長方向である。これにより、身長方向と直行する方向には、クッション材を屈曲させるための機構によって押し上げられる力がラインの溝部分に吸収されて伝搬されにくい。そのため、押し上げられる力が作用する範囲を身長方向と直行する方向には局所的とすることができる。一方で、身長方向には、ラインが押し上げられる力を伝搬するリブとして機能するために押し上げられる力が作用する範囲は広範囲に及ぶ。つまり、身長方向とその方向に直行する方向とでマットレスが押し上げられる範囲を異ならせることができる。これにより、マットレスの上面の使用者に対して、たとえば「腰ひねり」や「上半身起こし」などを効果的に行わせることができる。
【００１７】
（６）好ましくは、クッション材は、載置面を構成する第１層と、第１層の素材よりも固い素材で成形された載置面の裏面側を構成する第２層とを含む積層構造である。第１層を柔らかい素材で成形することで、第１層による使用者へのクッション性を確保できる。第１層の下方にそれよりも固い素材で成形された第２層を設けることで、下にある押し上げる機構によって押し上げられる範囲は第２層がない場合よりも広くなる。その結果、第１層にかかる単位面積当たりの圧力が小さくなり、第１層の素材が押しつぶされにくくなる。これにより、押し上げる機構の力を効果的に使用者に作用させることができる。また、クッション材を柔らかい素材の第１層だけで構成した場合、第１層が沈みすぎて、使用者が、底づき感を受けることがある。底づき感は、柔らかい層を介して受ける、床や、樹脂板、押し上げ機構などの接触感である。底づき感は、比較的固い第２層を設けることによって、軽減される。
【００１８】
（７）好ましくは、第１部分及び第２部分は、第１層に設けられている。これにより、クッション材を屈曲させるための機構の力を効果的に使用者に作用させることができる。
【００１９】
（８）本実施の形態に含まれクッション材は使用者の載置面を有するクッション材であって、載置面の面内方向における第１方向に延びる複数の第１部分と、複数の第１部分の間において第１部分と一体に形成された、第１部分よりも変形し易い第２部分と、を有する。このクッション材は、たとえば、クッション材を載置面に交差する方向に屈曲させるための機構を有するクッション装置用である。すなわち、このクッション材は、（１）〜（７）のいずれか１つに記載のクッション装置用である。そのため、このように用いられることによって、クッション材は（１）〜（７）に記載のクッション装置と同様の効果を奏する。
【００２０】
［２．クッション装置及びクッション材の例］
［第１の実施の形態］
＜睡眠装置の構成＞
図１は、本実施の形態にかかる睡眠装置１００の構成の概略を示す斜視図である。図２は、睡眠装置１００の構成の概略を示すブロック図である。なお、鉛直方向（上下方向）をＺ方向とし、Ｚ方向に垂直な一方向（左右方向）をＸ方向とし、Ｚ方向及びＸ方向に垂直な方向（前後方向）をＹ方向とする。各方向において＋側に向かう向きを＋向き、−側に向かう向きを−向きと称する。
【００２１】
図を参照して、睡眠装置１００は、身体支持部であるマットレス１０と、睡眠装置１００を制御する制御ユニット４０と、を含む。図３は、マットレス１０の分解斜視図である。マットレス１０は、クッション装置の一例である。
【００２２】
マットレス１０は、上下面が水平となり、長手方向がＹ方向と一致するように床面などに設置される。＋Ｚ向きの面を上面、その裏面（−Ｚ向きの面）を下面とする。マットレス１０は、上面に横臥する使用者Ｐを支持する。マットレス１０は、ウレタン層１７と、エアセル３１と、ウレタン層１７およびエアセル３１の支持部材である樹脂層１６と、表面部材である生地カバー層６０と、を有し、それらが積層されている。マットレス１０のうちのウレタン層１７はクッション材である。ウレタン層１７の上面、つまり、マットレス１０の上面は、使用者の載置面である。載置面は、当該面に直接使用者が載置することのみに限定されず、マットレス１０に載置した使用者側の面であることを意味している。クッション材は、たとえば、クッション性を有する発泡樹脂である。発泡樹脂は、たとえば、ウレタンフォームであって、ウレタン層１７はウレタンフォームからなる。エアセル３１及び樹脂層１６は、ウレタン層１７を押し上げるための機構である。ウレタン層１７を押し上げることは、ウレタン層１７を載置面である上面に交差する方向に屈曲させることを指す。上面に交差する方向は、＋Ｚ向き、及び、概ね＋Ｚ向きを含む。
【００２３】
マットレス１０は、Ｙ方向に第１マット部１１、第２マット部１２、及び、第３マット部１３の３つ部分が順に並ぶように、Ｘ方向に分割されている。マットレス１０の上面に足を＋Ｙ向き、頭をその反対向き（−Ｙ向き）として使用者Ｐが横臥したときに、第１マット部１１は使用者Ｐの頭肩を支持し、第２マット部１２は胴体を支持し、第３マット部１３は足を支持することが想定されている。
【００２４】
第１マット部１１と第２マット部１２との接合面の下面側には、切り欠き構造の連結部１４が形成されている。また、第２マット部１２と第３マット部１３との接合面の上面側には、同様の連結部１５が形成されている。これにより、マットレス１０は３つ折りが可能となっている。
【００２５】
第３マット部１３は、樹脂層１６Ｆと、ウレタン層１７Ｆと、表面部材である生地カバー層６０とが積層されたものである。図３に示されたように、ウレタン層１７Ｆと生地カバー層６０との間に、第３マット部１３用のカバー層がさらに積層されていてもよい。これは、他のマット部でも同様である。樹脂層１６Ｆとウレタン層１７Ｆとの間に２個のエアセル３１Ｃ，３１Ｔｏが配置されている。
【００２６】
第２マット部１２は、樹脂層１６Ｂと、ウレタン層１７Ｂと、生地カバー層６０とが積層されたものである。樹脂層１６Ｂとウレタン層１７Ｂとの間に４個のエアセル３１ＨｉＬ，３１ＨｉＲ，３１Ｌ，３１Ｔｈが配置されている。Ｘ方向に並列するエアセル３１ＨｉＬ，３１ＨｉＲを代表させてエアセル３１Ｈｉとも称する。
【００２７】
第１マット部１１は、樹脂層１６Ｈと、ウレタン層１７Ｈと、生地カバー層６０とが積層されたものである。樹脂層１６Ｈとウレタン層１７Ｈとの間に５個のエアセル３１ＨｅＬ，３１ＨｅＲ，３１ＳＬ，３１ＳＲ，３１Ｂが配置されている。Ｘ方向に並列するエアセル３１ＨｅＬ，３１ＨｅＲを代表させてエアセル３１Ｈｅ、エアセル３１ＳＬ，３１ＳＲを代表させてエアセル３１Ｓと称する。
【００２８】
エアセル３１は、エアチューブ３３及び電磁弁３４を介して、外部に配置されたポンプボックス３２と連結されている。一例として、第３マット部１３のＹ方向の端部には、コネクタボックス３５が設けられている。コネクタボックス３５は、ポンプボックス３２から伸びるエアチューブ３３を接続するための接続口を有し、接続口を介してポンプボックス３２から伸びるエアチューブ３３をマットレス１０内部のエアチューブ３３と連結する。ポンプボックス３２には図示しないポンプが内蔵されている。ポンプボックス３２からコネクタボックス３５へは、エアチューブ３３に加えて、電磁弁３４や制御ユニット４０に電力供給するための配電線も接続されている。
【００２９】
図４は、マットレス１０におけるエアセル３１の配置状態を説明するための図である。図４を参照して、マットレス１０の上面に使用者Ｐが仰向けに横臥したときに、エアセル３１ＨｅＬ，３１ＨｅＲは使用者Ｐの頭部の左右に、エアセル３１ＳＬ，３１ＳＲは左右の肩部の下に、エアセル３１Ｂは背中の下に、エアセル３１ＨｉＬ，３１ＨｉＲは左右の腰部に、エアセル３１Ｌは腰部中央の下に、エアセル３１Ｔｈは臀部の下に、エアセル３１Ｃは両膝裏の下に、エアセル３１Ｔｏは両ふくらはぎの下に配置されることが想定されている。
【００３０】
制御ユニット４０は、一例として、第３マット部１３のＹ方向の端部に配置されている。制御ユニット４０は、図示しないＣＰＵ（Central Processing Unit）及びメモリ２０を含み、睡眠装置１００全体を制御する。メモリ２０には、ＣＰＵで実行されるプログラムが記憶されているとともに、ストレッチコースにかかるデータが格納されている。ストレッチコースの具体例については後述する。
【００３１】
制御ユニット４０は、ポンプボックス３２に内蔵されたポンプの駆動及び電磁弁３４の開閉を制御する制御部４３を有する。制御部４３が電磁弁３４を開放し、かつ、ポンプボックス３２を駆動させることで、複数のエアセル３１のうちの解放した電磁弁３４に接続されているエアセル３１が膨張し、ウレタン層１７のうちの膨張したエアセル３１に重なる部分が押し上げられる。これにより、マットレス１０の上面に横臥していた使用者Ｐの、上記部分に接していた身体の一部が持ち上がる。制御部４３がポンプを駆動し続けることでエアセル３１の最大の膨張状態を維持することができる。また、制御部４３がその後にポンプの駆動を停止し、かつ、電磁弁３４を閉鎖することによって上記エアセル３１の膨張状態が維持され、その結果、使用者Ｐの身体の一部が持ち上げられた状態が維持される。
【００３２】
制御部４３が、ポンプの駆動を停止した状態で電磁弁３４を開放することで、複数のエアセル３１のうちの解放した電磁弁３４に接続されているエアセル３１内の空気が排気され、膨張が収縮する。これにより、ウレタン層１７のうちのこのエアセル３１に重なる部分であって、押し上げられていた部分が元の位置に戻る。その結果、使用者Ｐの持ち上げられた身体の一部が元の位置に戻る。
【００３３】
制御ユニット４０は、スマートフォン５３との間でデータの送受信を可能とする送受信部４４を有する。送受信部４４は、一例として、スマートフォン５３と無線通信を行う。送受信部４４とスマートフォン５３との通信は有線による通信であってもよい。スマートフォン５３は、使用者Ｐによる制御ユニット４０に対する入力操作を受け付ける装置の一例であって、他の例として、リモコン５０などであってもよい。リモコン５０との通信は、スマートフォン５３との通信と同様に、無線通信であってもよいし有線による通信であってもよい。有線による通信の場合、一例として、第１マット部１１の−Ｙ方向の端部には、通信ボックス５１が設けられている。通信ボックス５１は、リモコン５０などの外部装置との間で通信ケーブルを接続するための接続口を有し、接続口を介して制御ユニット４０との通信を中継する。
【００３４】
＜ウレタン層の構造＞
図５は、ウレタン層１７の一部の概略図であって、水平に置かれたウレタン層１７を上方から見下ろした状態で示している。図５を参照して、ウレタン層１７は、上面側の第１層１７ａと下面側の第２層１７ｂとからなる二層構造である。第１層１７ａはマットレス１０の上面に横臥した使用者Ｐに向く側の層であり、第２層１７ｂはエアセル３１に接する側の層である。
【００３５】
第１層１７ａの上面には、マットレス１０の上面の水平方向である面内方向における第１方向に延びる複数の第１部分と、複数の第１部分の間において第１の部分と一体に形成された、第１部分よりも変形し易い第２部分と、を有する。図５の例では、上記面内方向はＸＹ平面内の任意の方向である。第１方向と、マットレス１０が分割される方向とは直交する。本実施の形態では、マットレス１０が分割される方向はＸ方向であり、第１方向はＹ方向であり（図５）、第１部分はＹ方向に延びる山部１８Ａ、第２部分は隣接する山部１８Ａに挟まれた溝部１８Ｂである。
【００３６】
好ましくは、図５に示されたように、溝部１８ＢはＸ方向に平行して複数設けられている。以下の説明で、一対以上の山部１８Ａ及び溝部１８Ｂが交互に配置された形状をラインとも呼ぶ。第１層１７ａの上面にラインが形成されていることによって、マットレス１０上面に横臥した使用者Ｐをエアセル３１の膨張によって持ち上げる際にラインがエアセル３１の膨張に伴って変形し、それにより第１層１７ａの使用者Ｐに当接する位置が変化する。山部１８ＡはＸＺ平面と平行な断面は三角形状であるため、第１層１７ａの使用者Ｐに当接する位置が変化すると使用者Ｐに接する面の角度が変化する。このため、使用者Ｐはマットレス１０の押し上げをマットレス１０と接触した感覚でも実感できる。
【００３７】
第１層１７ａと第２層１７ｂとは、それぞれ、ウレタンフォームなどの発泡樹脂によって形成されている。第１層１７ａと第２層１７ｂとでは、例えば、素材又は密度が異なる。第２層１７ｂの素材は、第１層１７ａの素材よりも固い。第１層１７ａを柔らかい素材で成形することで、第１層１７ａによる使用者Ｐへのクッション性を確保できる。その一方で、第２層１７ｂがなく、柔らかい素材で成形された第１層１７ａのみとすると、下にあるエアセル３１の膨張によって第１層１７ａの素材が押しつぶされ、マットレス１０の上面に横臥した使用者Ｐを押し上げるに至らない場合がある。また、第１層１７ａにラインが形成されている場合、第１層１７ａの素材が押しつぶされると使用者Ｐへラインではなく面で接触するため、使用者Ｐへの圧迫感が大きくなる場合がある。
【００３８】
その点、第１層１７ａの下方にそれよりも固い素材で成形された第２層１７ｂを設けることで、下にあるエアセル３１の膨張によって押し上げられる範囲は第２層１７ｂがない場合よりも広くなる。その結果、エアセル３１の膨張によって第１層１７ａにかかる単位面積当たりの圧力が小さくなり、第１層１７ａの素材が押しつぶされにくくなる。これにより、エアセル３１の挙動を効果的に使用者Ｐに作用させることができる。
【００３９】
＜制御ユニットによる制御＞
制御ユニット４０の制御部４３は、メモリ２０に記憶されているストレッチコースに従ってポンプの駆動及び電磁弁３４の開閉を制御する。図６は、メモリ２０に記憶されているストレッチコースの具体例について説明するための図であって、ストレッチコースのうちの、「腰ひねり」、「クロスひねり」、及び「上半身起こし」を示した図である。図は、左から右に向かって時間経過を示し、左から順に、時間ｔ１，ｔ２，ｔ３，…とする。なお、図において、ハッチングされたエアセルは膨張していることを示し、ハッチングされていないエアセルは膨張していないことを示している。
【００４０】
図を参照して、「腰ひねり」で制御部４３は、時間ｔ１に左右腰及び腰中央の下のエアセル３１を膨張させ、時間ｔ２に左腰及び腰中央の下のエアセル３１を膨張させ、時間ｔ３に右腰及び腰中央の下のエアセル３１を膨張させ、時間ｔ４に左腰及び腰中央の下のエアセル３１を膨張させ、時間ｔ５に右腰及び腰中央の下のエアセル３１を膨張させる。時間ｔ２〜ｔ５の制御により、使用者Ｐには、腰部が左右にひねられるストレッチが実行される。なお、時刻ｔ１の制御により、使用者Ｐは腰部がエアセル３１によって持ち上げられた位置に一致するようにマットレス１０上面での位置を調整することができる。
【００４１】
図を参照して、「クロスひねり」で制御部４３は、時間ｔ１に左右肩及び左右腰の下のエアセル３１を膨張させ、時間ｔ２に左肩及び右腰の下のエアセル３１を膨張させ、時間ｔ３に右肩及び左腰の下のエアセル３１を膨張させ、時間ｔ４に左肩及び右腰の下のエアセル３１を膨張させ、時間ｔ５に右肩及び左腰の下のエアセル３１を膨張させる。時間ｔ２〜ｔ５の制御により、使用者Ｐには、腰部と肩部とが互いに逆側に左右にひねられるストレッチが実行される。なお、時刻ｔ１の制御により、使用者Ｐは左右肩及び左右腰部がエアセル３１によって持ち上げられた位置に一致するようにマットレス１０上面での位置を調整することができる。
【００４２】
図を参照して、「上半身起こし」で制御部４３は、頭部左右、左右肩、及び背中の下のエアセル３１を膨張させる。この制御により、使用者Ｐには、上半身が持ち上げられる向きの力が働く。
【００４３】
＜実施の形態の効果＞
本実施の形態にかかる睡眠装置１００に含まれるマットレス１０では、クッション材であるウレタン層１７の第１層１７ａに１本以上のＹ方向に延びるラインが形成されている。図７及び図８は、ウレタン層１７に設けられたラインの、ウレタン層１７の変形に対する影響を説明するための図である。図７はウレタン層１７のＸＺ平面に平行な断面、図８はウレタン層１７のＹＺ平面に平行な断面を示している。
【００４４】
図７は、第１マット部１１のウレタン層１７Ｈと、その下方に配置された、Ｘ方向に並列したエアセル３１ＨｅＬ，３１ＨｅＲと、を例に、これらエアセル３１ＨｅＬ，３１ＨｅＲの挙動とウレタン層１７Ｈの変形とを説明するものである。図７を参照して、Ｘ方向に並列したエアセル３１ＨｅＬ及びエアセル３１ＨｅＲのうちの一方のエアセル（図７の例の場合にはエアセル３１ＨｅＬ）のみが膨張し、他方のエアセル（図７の例ではエアセル３１ＨｅＲ）が膨張していない場合、ウレタン層１７のエアセル３１ＨｅＬ，３１ＨｅＲの真上の位置を含むＸＺ平面に平行な断面では、エアセル３１ＨｅＬの真上のウレタン層１７はエアセル３１ＨｅＬの膨張に伴って押し上げられる。一方、エアセル３１ＨｅＬの膨張による押し上げる力はＸ方向にはラインの溝部１８Ｂに吸収されて伝搬されにくい。そのため、押し上げられる範囲をＸ方向には局所的とすることができる。
【００４５】
図８は、第１マット部１１のウレタン層１７Ｈと、その下方に配置された、Ｙ方向に並列したエアセル３１ＨｅＲ，３１ＳＲと、を例に、これらエアセル３１ＨｅＲ，３１ＳＲの挙動とウレタン層１７Ｈの変形とを説明するものである。図８を参照して、Ｙ方向に並列したエアセル３１ＨｅＲ及びエアセル３１ＳＲのうちの一方のエアセル（図８の例の場合にはエアセル３１ＨｅＲ）のみが膨張し、他方のエアセル（図８の例ではエアセル３１ＳＲ）が膨張していない場合、ウレタン層１７のエアセル３１ＨｅＲ，３１ＳＲの真上の位置を含むＹＺ平面に平行な断面では、エアセル３１ＨｅＲの真上のウレタン層１７はエアセル３１ＨｅＲの膨張に伴って押し上げられる。また、ラインの山部１８Ａがエアセル３１ＨｅＲの膨張によって押し上げる力を伝搬するリブとして機能し、Ｙ方向に伝搬する。その結果、押し上げられる範囲がＹ方向には広範囲となる。
【００４６】
なお、エアセル３１によって押し上げられる範囲をＸ方向に局所的とし、Ｙ方向には広範囲とする構成の比較例として、図９の構成が挙げられる。図９に示された比較例にかかる構成は、Ｘ方向に２分割され、Ｙ方向に３分割されて、Ｙ方向に並ぶマット部１１Ｒ，１２Ｒ，１３Ｒ及びこれらにＸ方向に並列するマット部１１Ｌ，１２Ｌ，１３Ｌからなる。各マット部にはエアセル３１が配置されている。
【００４７】
マットレス１０を図９に示された比較例の構成とすることで、Ｘ方向にもＹ方向にもエアセル３１の膨張による押し上げる力の伝搬を分断することができる。つまり、マット部ごとにエアセル３１の膨張によって押し上げられ、隣接するマット部に押し上げる力が伝播しない。
【００４８】
マットレス１０をこのような構造としても、第１の実施の形態にかかるマットレスと同様にエアセル３１の膨張による押し上げる力の伝搬を制御できるようにも思われる。しかしながら、図９の構成では、マットレス１０の折り畳み性、持ち運び性が劣る。そのため、折り畳み性や持ち運び性をさらに考慮し、本実施の形態にかかるマットレス１０は図１〜図５に示された構成とする。
【００４９】
エアセル３１の膨張による押し上げる力がＸ方向に広範囲に作用すると、図６に示された「腰ひねり」などにおいてウレタン層１７がＸ方向に全体的に押し上げられる場合がある。その結果、効果的に使用者Ｐを左右異なる体勢とさせることができない。
【００５０】
これに対して、エアセル３１の膨張による押し上げる力がＸ方向に局所的となることで（図７）、図６に示された「腰ひねり」などにおいて、効果的に使用者Ｐを左右異なる体勢とさせることができる。すなわち、時間ｔ２では左腰及び腰中央を持ち上げるとともに、右腰を持ち上げないようにすることができる。また、時間ｔ３では右腰及び腰中央を持ち上げるとともに、左腰を持ち上げないようにすることができる。これが繰り返されることで、効果的な腰ひねりが実現される。
【００５１】
また、エアセル３１の膨張による押し上げる力がＹ方向に局所的となると、図６に示された「上半身起こし」などにおいて、ウレタン層１７がＹ方向にエアセル３１真上付近のみしか押し上げられない場合がある。その結果、効果的に使用者Ｐを身長方向に持ち上げることができない。
【００５２】
これに対して、エアセル３１の膨張による押し上げる力がＹ方向には広範囲となることで（図８）、図６に示された「上半身起こし」などにおいて、効果的に使用者Ｐを身長方向に持ち上げることができる。
【００５３】
さらに、マットレス１０がラインの延長する方向（Ｙ方向）と直交する方向（Ｘ方向）に分割されていることによって、マットレス１０の折り畳み性、持ち運び性が向上するのみならず、エアセル３１の膨張による押し上げる力のＹ方向への伝搬が分断される。これにより、図６に示された「クロスひねり」などにおいて、効果的に使用者Ｐを左右及び上下異なる体勢とさせることができる。
【００５４】
すなわち、時間ｔ２では左肩を持ち上げるとともに右肩を持ち上げないようにすることができ、かつ、右腰を持ち上げるとともに左腰を持ち上げないようにすることができる。さらに、左肩を持ち上げるとともに左腰を持ち上げないようにすることができ、かつ、右腰を持ち上げるとともに右肩を持ち上げないようにすることができる。時間ｔ３では右肩を持ち上げるとともに左肩を持ち上げないようにすることができ、かつ、左腰を持ち上げるとともに右腰を持ち上げないようにすることができる。さらに、右肩を持ち上げるとともに右腰を持ち上げないようにすることができ、かつ、左腰を持ち上げるとともに左肩を持ち上げないようにすることができる。これが繰り返されることで、効果的なクロスひねりが実現される。
【００５５】
［第２の実施の形態］
ラインの延びる方向（第１方向）、及び、ラインの延びる方向に直交する、マットレス１０を分割する方向（第２方向）は、それぞれ、Ｙ方向及びＸ方向に限定されず、他の方向であってもよい。他の例として、図１０に示されたように、ラインの延びる方向（第１方向）がＸ方向、ラインの延びる方向に直交する、マットレス１０を分割する方向（第２方向）がＹ方向であってもよい。
【００５６】
このような構成とすることで、エアセル３１の膨張による押し上げる力がＹ方向には局所的に作用するとともに、Ｘ方向には広範囲に作用する。このように作用させるための構造はウレタン層１７の第１層１７ａに形成されるラインに限定されない。
【００５７】
［第３の実施の形態］
第１の実施の形態、及び、第２の実施の形態にかかるマットレス１０では、第１層１７ａの上面の第１部分と第２部分とが第１層１７ａ上面の形状によって、それぞれ、山部１８Ａ及び溝部１８Ｂとして実現されている。第１部分と第２部分とはこの構成に限定されず、図１１〜図１４に示されたような、他の例であってもよい。図１１〜図１４は、マットレス１０の第１層１７ａの構造の他の例を表した図であって、マットレス１０のＸＺ平面の断面概略図である。
【００５８】
図１１に例示された第１層１７ａの構造は、第１部分１９Ａと第２部分１９Ｂとが交互に配置されて、第２部分１９Ｂが第１部分１９Ａよりも変形し易い素材で成形されている。または、第１部分１９Ａと第２部分１９Ｂとが同じ素材であって、第２部分１９Ｂが第１部分１９Ａよりも低い密度の素材で成形されている。
【００５９】
又は、第１部分と第２部分とは、厚みの異なる段差形状で実現されてもよい。厚い方が第１部分、薄い方が第２部分となる。
【００６０】
図１２に例示された第１層１７ａの構造は、第１層１７ａ上面が矩形波形状に成形されている。図１２の第１層１７ａの構造は、第１層１７ａの上面に、上面と平行な山部２１Ａと谷部２１Ｂとが交互に現れ、山部２１Ａと谷部２１Ｂとの間は第１層１７ａ上面に直交する平面２１Ｃで結ばれた形状である。この場合、厚い方の山部２１Ａが第１部分、及び、薄い方の谷部２１Ｂが第２部分となる。
【００６１】
図１３に例示された第１層１７ａの構造は、第１層１７ａ上面が台形波形状に成形されている。図１３の第１層１７ａの構造は、第１層１７ａの上面に、上面と平行な山部２２Ａと谷部２２Ｂとが交互に現れ、山部２２Ａから谷部２２Ｂは斜面２２Ｃ、谷部２２Ｂから山部２２Ａは斜面２２Ｃに対称の斜面２２Ｄで結ばれた形状である。この場合、厚い方の山部２２Ａが第１部分、及び、薄い方の谷部２２Ｂが第２部分となる。
【００６２】
図１４に例示された第１層１７ａの構造は、第１層１７ａの上部の断面が三角形で下部の断面が矩形断面の形状に成形されている。図１４の第１層１７ａの構造は、第１層１７ａの上面に、点２３Ａを頂点として向き合う斜面２３Ｂ，２３Ｃで構成される三角部２３Ｄと、斜面２３Ｃと斜面２３Ｂとを結ぶ上面と平行な谷部２３Ｅとが交互に現れる形状である。この場合、厚い方の三角部２３Ｄが第１部分、及び、薄い方の谷部２３Ｅが第２部分となる。
【００６３】
図１１〜図１４に例示されたような第３の実施の形態に示されたマットレス１０も、第１の実施の形態、及び、第２の実施の形態にかかるマットレス１０と同じ効果をもたらす。すなわち、第３の実施の形態に示されたマットレス１０も、エアセル３１によって押し上げられる範囲をＸ方向には局所的とし、Ｙ方向には広範囲とすることができる。
【００６４】
［第４の実施の形態］
クッション装置はマットレスのみに限定されない。他の例として、たとえば、マッサージチェア、椅子、乗り物の座席、介護用ベッド、などを含む。
【００６５】
［第５の実施の形態］
クッション材を載置面に交差する方向に屈曲させるための機構の配置は、クッション材であるウレタン層の下面側に限定されない。他の例として、ウレタン層の内部に配置され、その位置で膨張することで当該機構よりも上面側にあるウレタン層を持ち上げてもよい。
【００６６】
［３．付記］
なお、本実施の形態の他の局面に従うと、次のようなクッション装置が含まれる。すなわち、ある実施の形態に従うと、クッション装置は、使用者の載置面を有するクッション材と、クッション材を載置面に交差する方向に屈曲させるための機構と、を備え、載置面を構成する第１層と、第１層の素材よりも固い素材で成形された載置面の裏面側を構成する第２層とを含む積層構造である。
【００６７】
本発明は、上記の実施の形態に限定されるものではなく、様々な変形が可能である。
【符号の説明】
【００６８】
１０        ：マットレス
１１        ：第１マット部
１１Ｌ      ：マット部
１１Ｒ      ：マット部
１２        ：第２マット部
１２Ｌ      ：マット部
１２Ｒ      ：マット部
１３        ：第３マット部
１３Ｌ      ：マット部
１３Ｒ      ：マット部
１４        ：連結部
１５        ：連結部
１６        ：樹脂層
１６Ｂ      ：樹脂層
１６Ｆ      ：樹脂層
１６Ｈ      ：樹脂層
１７        ：ウレタン層
１７Ｂ      ：ウレタン層
１７Ｆ      ：ウレタン層
１７Ｈ      ：ウレタン層
１７ａ      ：第１層
１７ｂ      ：第２層
１８Ａ      ：山部（第１部分）
１８Ｂ      ：溝部（第２部分）
１９Ａ      ：第１部分
１９Ｂ      ：第２部分
２０        ：メモリ
２１Ａ      ：山部
２１Ｂ      ：谷部
２２Ａ      ：山部
２２Ｂ      ：谷部
２２Ｃ      ：斜面
２２Ｄ      ：斜面
２３Ａ      ：頂点
２３Ｂ      ：斜面
２３Ｃ      ：斜面
２３Ｄ      ：三角部
２３Ｅ      ：谷部
３１        ：エアセル
３１Ｂ      ：エアセル
３１Ｃ      ：エアセル
３１Ｈｅ    ：エアセル
３１ＨｅＬ  ：エアセル
３１ＨｅＲ  ：エアセル
３１Ｈｉ    ：エアセル
３１ＨｉＬ  ：エアセル
３１ＨｉＲ  ：エアセル
３１Ｌ      ：エアセル
３１Ｒ      ：エアセル
３１Ｓ      ：エアセル
３１ＳＬ    ：エアセル
３１ＳＲ    ：エアセル
３１Ｔｈ    ：エアセル
３１Ｔｏ    ：エアセル
３２        ：ポンプボックス
３３        ：エアチューブ
３４        ：電磁弁
３５        ：コネクタボックス
４０        ：制御ユニット
４３        ：制御部
４４        ：送受信部
５０        ：リモコン
５１        ：通信ボックス
５３        ：スマートフォン
６０        ：生地カバー層
１００      ：睡眠装置
Ｐ          ：使用者
【図１】
2019208699.tif 000003
【図２】
2019208699.tif 000004
【図３】
2019208699.tif 000005
【図４】
2019208699.tif 000006
【図５】
2019208699.tif 000007
【図６】
2019208699.tif 000008
【図７】
2019208699.tif 000009
【図８】
2019208699.tif 000010
【図９】
2019208699.tif 000011
【図１０】
2019208699.tif 000012
【図１１】
2019208699.tif 000013
【図１２】
2019208699.tif 000014
【図１３】
2019208699.tif 000015
【図１４】
2019208699.tif 000016